(57)【要約】【課題】観察像を撮像するときにフレアやゴーストを発生せずに容易で安価に良好な撮像を行うこと。【解決手段】実体顕微鏡の一方の観察光軸Ｌ１上に光路切換光学系４０の第１の反射部材４１を挿入することにより観察光Ｓ１を撮像装置１０に導いて試料２を撮像する場合、他方の観察光軸Ｌ２上に遮光板４４を挿入して外部光を遮光する。【選択図】    図３
2005003993.tif 000002
【特許請求の範囲】
【請求項１】
試料を左右双方向から観察する一対の観察光軸を有する実体顕微鏡において、
前記試料からの観察光を撮像する撮像装置と、
前記一対の観察光軸のうちいずれか一方の前記観察光軸上に設けられ、前記試料からの観察光を前記撮像装置に導く光路切換光学系と、
前記一対の観察光軸のうち他方の前記観察光軸に対して挿脱可能な遮光部材と、
を具備したことを特徴とする実体顕微鏡。
【請求項２】
前記遮光部材は、他方の前記観察光軸に対して交わる方向に移動することを特徴とする請求項１記載の実体顕微鏡。
【請求項３】
前記遮光部材を一端側に支持し、前記観察光軸に対して交わる方向に移動して前記遮光部材を他方の前記観察光軸上に挿脱する支持部材、
を有することを特徴とする請求項１記載の実体顕微鏡。
【請求項４】
前記光路切換光学系は、一方の前記観察光軸に対して挿脱して前記試料からの観察光を前記撮像装置に導く反射部材を有し、
前記遮光部材及び前記反射部材を支持し、前記観察光軸に対して交わる方向に移動して前記遮光部材を他方の前記観察光軸上に挿脱すると共に、前記反射部材を一方の前記観察光軸上に挿脱する支持部材、
を有することを特徴とする請求項１記載の実体顕微鏡。
【請求項５】
前記光路切換光学系は、一方の前記観察光軸に対して挿脱して前記試料からの観察光を前記撮像装置に導く反射部材を有し、
前記反射部材を支持し、一方の前記観察光軸に対して交わる方向に移動して前記反射部材を一方の前記観察光軸上に挿脱する第１の支持部材と、
前記遮光部材を支持し、他方の前記観察光軸に対して交わる方向に移動して前記遮光部材を他方の前記観察光軸上に挿脱する第２の支持部材と、
を有することを特徴とする請求項１記載の実体顕微鏡。
【請求項６】
前記第１と第２の支持部材は、連結を解除して互いに対峙する方向に摺動し、又は互いに移動して一体的に摺動することを特徴とする請求項５記載の実体顕微鏡。
【請求項７】
前記遮光部材は、回転移動することを特徴とする請求項１記載の実体顕微鏡。
【請求項８】
前記遮光部材を一端側に支持し、中間部に設けられた回転軸を中心に回転して前記遮光部材を他方の前記観察光軸上に挿脱する支持部材、
を有することを特徴とする請求項１記載の実体顕微鏡。
【請求項９】
前記遮光部材を一端側に支持し、軸方向を回転軸として回転して前記遮光部材を他方の前記観察光軸上に挿脱する支持部材、
を有することを特徴とする請求項１記載の実体顕微鏡。
【請求項１０】
前記光路切換光学系は、一方の前記観察光軸に対して挿脱して前記試料からの観察光を前記撮像装置に導く反射部材を有し、
前記遮光部材及び前記反射部材を支持し、中間部に設けられた回転軸を中心に回転して前記遮光部材を他方の前記観察光軸上に挿脱すると共に、前記反射部材を一方の前記観察光軸上に挿脱する支持部材、
を有することを特徴とする請求項１記載の実体顕微鏡。
【請求項１１】
前記光路切換光学系は、一方の前記観察光軸に対して挿脱して前記試料からの観察光を前記撮像装置に導く反射部材を有し、
前記遮光部材及び前記反射部材を支持し、軸方向を回転軸として回転して前記遮光部材を他方の前記観察光軸上に挿脱すると共に、前記反射部材を一方の前記観察光軸上に挿脱する支持部材、
を有することを特徴とする請求項１記載の実体顕微鏡。
【発明の詳細な説明】
【０００１】
【発明の属する技術分野】
本発明は、試料位置で互いに一致する内向角を有する一対の観察光軸を有する実体顕微鏡に関する。
【０００２】
【従来の技術】
実体顕微鏡は、左右両眼にそれぞれ独立した一対の観察光学系を有し、試料を異なる方向から観察することで試料を立体視することを可能とする。実体顕微鏡は、左右の各対物レンズの光軸の配置により内斜式（グリノー式）と平行式（ガリレオ式）とに分けられる。
【０００３】
内斜式は、左右の各対物レンズの光軸を試料に対してある角度傾いて配置している。平行式は、対物レンズの光軸を平行に配置している。
【０００４】
これら方式の実体顕微鏡は、落射照明装置から発せられた照明光を試料に照射し、試料からの反射光すなわち観察光を対物レンズに入射させる。入射した観察光は、対物レンズによって結像され、接眼部を通して観察像として得られる。
【０００５】
このような実体顕微鏡では、写真カメラ又はテレビジョンカメラ（ＴＶカメラ）などの撮像装置を取り付けて、試料の観撮像を撮像することを行っている。試料の観察像を撮像するには、実体顕微鏡に例えば特許文献１に開示されているような光路切換装置を用いる。
【０００６】
この特許文献１は、実体顕微鏡の一対の観察光軸のうち一方の観察光軸上に対して反射部材を挿脱可能に設け、試料からの観察光を撮像装置側に分岐させることを記載する。
【０００７】
【特許文献１】
実用新案登録第２５１９８９４号公報
【０００８】
【発明が解決しようとする課題】
実体顕微鏡に撮像装置を取り付けて試料の観察像を撮像する場合、試料からの観察光以外の外部光が観察光学系に侵入すると、撮像装置により撮像した観察像にフレアやゴーストが発生することがある。
【０００９】
これらフレアやゴーストの発生は、例えば観察者が接眼レンズから眼を離して離れた位置で撮像を行う場合、蛍光灯などからの外部光が接眼部を通して一方の観察光学系に侵入する。この侵入した外部光は、一方の観察光学系の対物レンズを通して試料面に照射される。そして、試料からの反射光は、他方の観察光学系の対物レンズに入射し、光路切換装置の反射部材を介して撮像装置に入射する。これにより、フレアやゴーストが発生する。このようなフレアやゴーストの発生を防ぐ方法としては、接眼部にキャップを被せて外部光の侵入を防ぐ方法がある。
【００１０】
しかしながら、この方法では、観察像を撮像する毎にキャップを接眼部に取付らければならず、手間がかかる。また、キャップを紛失するおそれもある。
【００１１】
フレアやゴーストの発生を防ぐ他の方法としては、観察光学系上に偏光板を配置する方法がある。この方法では、通常の試料の観察時にも観察光路上に偏光板が配置されているため、観察像が暗くなってしまう。また、偏光板の使用によりコストアツプも招く。
【００１２】
そこで本発明は、観察像を撮像するときにフレアやゴーストを発生せずに容易に良好な撮像ができる安価な実体顕微鏡を提供することを目的とする。
【００１３】
【課題を解決するための手段】
本発明は、試料を左右双方向から観察する一対の観察光軸を有する実体顕微鏡において、試料からの観察光を撮像する撮像装置と、一対の観察光軸のうちいずれか一方の観察光軸上に設けられ、試料からの観察光を撮像装置に導く光路切換光学系と、一対の観察光軸のうち他方の観察光軸に対して挿脱可能な遮光部材とを具備した実体顕微鏡である。
【００１４】
本発明の実体顕微鏡における遮光部材は、他方の前記観察光軸に対して交わる方向に移動する。
【００１５】
本発明の実体顕微鏡における遮光部材を一端側に支持し、観察光軸に対して交わる方向に移動して遮光部材を他方の観察光軸上に挿脱する支持部材を有する。
【００１６】
本発明の実体顕微鏡における光路切換光学系は、一方の観察光軸に対して挿脱して試料からの観察光を撮像装置に導く反射部材を有し、遮光部材及び反射部材を支持し、観察光軸に対して交わる方向に移動して遮光部材を他方の観察光軸上に挿脱すると共に、反射部材を一方の観察光軸上に挿脱する支持部材を有する。
【００１７】
本発明の実体顕微鏡における光路切換光学系は、一方の観察光軸に対して挿脱して試料からの観察光を撮像装置に導く反射部材を有し、反射部材を支持し、一方の観察光軸に対して交わる方向に移動して反射部材を一方の観察光軸上に挿脱する第１の支持部材と、遮光部材を支持し、他方の観察光軸に対して交わる方向に移動して遮光部材を他方の観察光軸上に挿脱する第２の支持部材とを有する。
【００１８】
本発明の実体顕微鏡における第１と第２の支持部材は、連結を解除して互いに対峙する方向に摺動し、又は互いに連結して一体的に摺動する。
【００１９】
本発明の実体顕微鏡における遮光部材は、回転移動する。
【００２０】
本発明の実体顕微鏡における遮光部材を一端側に支持し、中間部に設けられた回転軸を中心に回転して遮光部材を他方の観察光軸上に挿脱する支持部材を有する。
【００２１】
本発明の実体顕微鏡における遮光部材を一端側に支持し、軸方向を回転軸として回転して遮光部材を他方の観察光軸上に挿脱する支持部材を有する。
【００２２】
本発明の実体顕微鏡における光路切換光学系は、一方の観察光軸に対して挿脱して試料からの観察光を撮像装置に導く反射部材を有し、遮光部材及び反射部材を支持し、中間部に設けられた回転軸を中心に回転して遮光部材を他方の観察光軸上に挿脱すると共に、反射部材を一方の観察光軸上に挿脱する支持部材を有する。
【００２３】
本発明の実体顕微鏡における光路切換光学系は、一方の観察光軸に対して挿脱して試料からの観察光を撮像装置に導く反射部材を有し、遮光部材及び反射部材を支持し、軸方向を回転軸として回転して遮光部材を他方の観察光軸上に挿脱すると共に、反射部材を一方の観察光軸上に挿脱する支持部材を有する。
【００２４】
【発明の実施の形態】
以下、本発明の第１の実施の形態について図面を参照して説明する。
【００２５】
図１及び図２は実体顕微鏡の外観図である。ベース１上には、試料２を載せたプレート３が載置されている。又、ベース１上には、支柱４が立設されている。この支柱４には、アーム部５が焦準ハンドル６の回転操作により上下方向に摺動可能に設けられている。このアーム部５の先端部には、実体顕微鏡本体７が取り付けられている。この実体顕微鏡本体７の内部には、対物レンズが設けられており、上部に一対の接眼部９ａ、９ｂが設けられている。又、実体顕微鏡本体７の上部に写真カメラ又はＴＶカメラ、デジタルカメラなどの撮像装置１０が取り付けられている。なお、撮像装置１０は、撮像位置１０ａに試料２の像が結像される（図３参照）。
【００２６】
図３は実体顕微鏡の光学系の構成図である。実体顕微鏡は、互いに独立した一対となる第１と第２の観察光学系２０、３０を有する。第１の観察光学系２０は、対物レンズ２１と接眼レンズ２２とからなる。第２の観察光学系３０は、対物レンズ３１と接眼レンズ３２とからなる。これら第１と第２の観察光学系２０、３０との各観察光軸Ｌ１、Ｌ２は、試料位置で互いに一致する内向角を有する。
【００２７】
試料２は、実体顕微鏡の外部に設けられた図示しない落射照明装置により照明される。この試料２からの反射光すなわち観察光Ｓ１、Ｓ２は、それぞれ第１と第２の観察光学系２０、３０の各対物レンズ２１、３１に入射して結像し、各接眼レンズ２２、３２を通して独立して各観察像を得る。
【００２８】
第１の観察光学系２０における対物レンズ２１と接眼レンズ２２との間には、光路切換光学系４０が設けられている。この光路切換光学系４０は、試料２からの観察光Ｓ１を撮像装置１０に導く。この光路切換光学系４０は、観察光軸Ｌ１に対して傾斜しかつ挿脱可能な第１の反射部材４１と、この第１の反射部材４１の反射光軸Ｌ３と撮像装置１０の光軸Ｌ４との交点に配置され、第１の反射部材４１で反射した観察光Ｓ１を撮像装置１０側に向きを変える第２の反射部材４２と、この第２の反射部材４２と撮像装置１０との間の光軸Ｌ４上に配置された撮影レンズ４３とからなる。
【００２９】
一方、第１の観察光学系３０における対物レンズ３１と接眼レンズ３２との間には、遮光板４４が観察光軸Ｌ１に対して挿脱可能に設けられている。この遮光板４４は、接眼レンズ３２を通して入射される外部光を遮光する。この遮光板４４は、撮像装置１０により試料２を撮像するときに観察光軸Ｌ２に挿入され、接眼レンズ３２を通して試料２を観察するときに観察光軸Ｌ２から外す。なお、この遮光板４４は、例えば黒色に塗られていたり、つや消しの黒色に形成されている。
【００３０】
図４は遮光板４４の挿脱機構の構成図である。遮光板４４は、支持部材３４の一端側に設けられている。この支持部材３４は、図１及び図２に示すように実体顕微鏡本体７の側壁７ａに形成された挿脱用孔３５を通して他端側を実体顕微鏡本体７の外部に突出している。又、支持部材３４の他端側には、把持部であるつまみ３６が設けられている。この支持部材３４は、実体顕微鏡本体７の側壁７ａと観察光軸Ｌ２との間を矢印Ａ方向に摺動する。
【００３１】
これにより、つまみ３６を操作して支持部材を実体顕微鏡本体７の側壁７ａ内に挿入すると、遮光板４４が観察光軸Ｌ２上に配置される。このとき、つまみ３６が側壁７ａに当接することにより、このつまみ３６がストッパになって遮光板４４が観察光軸Ｌ２上に位置決めされる。
【００３２】
又、つまみ３６を操作して支持部材を実体顕微鏡本体７の側壁７ａを通して抜くと、遮光板４４は観察光軸Ｌ２上から側壁７ａと観察光軸Ｌ２との間のスペースに退避する。
【００３３】
従って、撮像装置１０により試料２を撮像するとき、つまみ３６を操作して支持部材３４を実体顕微鏡本体７の側壁７ａ内に挿入し、遮光板４４を観察光軸Ｌ２上に配置する。これにより、例えば観察者が接眼レンズ３２から眼を離して離れた位置で撮像を行う場合、蛍光灯などからの外部光が接眼レンズ３２を通して観察光学系３０に侵入するが、この侵入した外部光は、遮光板４４により遮光される。この結果、撮像装置１０により撮像した観察像におけるフレアやゴーストの発生が防止される。
【００３４】
一方、接眼レンズ３２を通して試料２を観察するとき、つまみ３６を操作して支持部材３４を実体顕微鏡本体７の側壁７ａから抜き、遮光板４４を観察光軸Ｌ２上から外す。
【００３５】
このように上記第１の実施の形態によれば、実体顕微鏡の一方の観察光軸Ｌ１上に光路切換光学系４０の第１の反射部材４１を挿入することにより観察光Ｓ１を撮像装置１０に導いて試料２を撮像する場合、他方の観察光軸Ｌ２上に遮光板４４を挿入して外部光を遮光するので、接眼レンズ３２から侵入した外部光が試料２上で反射し、対物レンズ２１から入射して撮像装置１０の光軸Ｌ４への侵入を防止できる。これにより、フレアやゴーストのない鮮明な像を得ることができる。遮光板４４を観察光軸Ｌ２上から外せば、通常の観察が可能であり、画像の明るさも劣化しない。又、遮光板４４は、黒色でよいので、安価である。
【００３６】
次に、本発明の第２の実施の形態について説明する。なお、図１及び図２と同一部分には同一符号を付してその詳しい説明は省略する。
【００３７】
図５は遮光板４４の挿脱機構の構成図である。遮光板４４は、支持部材４０の一端側に支持されている。この支持部材５０は、実体顕微鏡本体７の側壁７ａに形成された挿脱用孔３５’を通して他端側を実体顕微鏡本体７の外部に突出している。この支持部材５０は、中間部に回転軸５１を設け、この回転軸５１を中心にして回転して遮光板４４を矢印Ｂ方向に回転移動させる。これにより、遮光板４４は、観察光軸Ｌ２に対して挿脱する。支持部材５０は、図示しないクリック機構等の作用により遮光板４４を観察光軸Ｌ２上に位置決めして停止できる。
【００３８】
なお、実体顕微鏡本体７の側壁７ａに形成された挿脱用孔３５’は、支持部材５０を回転移動可能とする大きさに形成されている。
【００３９】
このような構成であれば、撮像装置１０により試料２を撮像するとき、支持部材５０を回転軸５１を中心に回転させて遮光板４４を観察光軸Ｌ２上に配置する。これにより、例えば観察者が接眼レンズ３２から眼を離して離れた位置で撮像を行う場合、蛍光灯などからの外部光は、遮光板４４により遮光される。
【００４０】
一方、接眼レンズ３２を通して試料２を観察するとき、支持部材５０を回転軸５１を中心に回転させて遮光板４４を観察光軸Ｌ２上から外す。
【００４１】
このように上記第２の実施の形態によれば、上記第１の実施の形態と同様の効果を奏することは言うまでもない。
【００４２】
次に、本発明の第３の実施の形態について説明する。なお、図１乃至図３と同一部分には同一符号を付してその詳しい説明は省略する。
【００４３】
図６は遮光板４４の挿脱機構の構成図である。遮光板４４は、支持部材６０の一端側に支持されている。この支持部材６０は、実体顕微鏡本体７の側壁７ａに対して軸支されている。この支持部材６０における側壁７ａに軸支される部分は、その径が小さく形成され、側壁７ａからの外れを防止している。この支持部材６０は、側壁７ａに軸支されて当該支持部材６０の軸方向を回転軸として矢印Ｃ方向に回転する。
【００４４】
このような構成であれば、撮像装置１０により試料２を撮像するとき、支持部材６０を矢印Ｃ方向に回転させて遮光板４４を観察光軸Ｌ２上に配置する。これにより、例えば観察者が接眼レンズ３２から眼を離して離れた位置で撮像を行う場合、蛍光灯などからの外部光は、遮光板４４により遮光される。
【００４５】
一方、接眼レンズ３２を通して試料２を観察するとき、支持部材６０を矢印Ｃ方向に回転させて遮光板４４を観察光軸Ｌ２上から外す。
【００４６】
このように上記第３の実施の形態によれば、上記第１の実施の形態と同様の効果を奏することは言うまでもない。
【００４７】
次に、本発明の第４の実施の形態について説明する。なお、図１乃至図３と同一部分には同一符号を付してその詳しい説明は省略する。
【００４８】
図７は遮光板４４の挿脱機構の構成図である。支持部材７０には、第１の反射部材４１と遮光板４４とが支持されている。この支持部材７０は、実体顕微鏡本体７の両側の各側壁７ａのうち一方の側壁７ａに対して矢印Ｄ方向に摺動可能に設けられている。この支持部材７０は、実体顕微鏡本体７内に挿入した状態で各観察光軸Ｌ１、Ｌ２上に遮光板４４、第１の反射部材４１とが位置決め配置される長さに形成されている。第１の反射部材４１と遮光板４４とは、それぞれ支持部材７０を実体顕微鏡本体７内に挿入した状態に各観察光軸Ｌ１、Ｌ２上に配置される支持部材７０上の位置に設けられている。なお、第１の反射部材４１と撮影レンズ４３との位置関係を示すために第２の反射部材４２を図示している。
【００４９】
このような構成であれば、撮像装置１０により試料２を撮像するとき、つまみ３６を操作して支持部材７０を実体顕微鏡本体７の側壁７ａ内に挿入すると、第１の反射部材４１と遮光板４４とが一体的に移動し、このうちの第１の反射部材４１が観察光軸Ｌ１上に配置され、遮光板４４が観察光軸Ｌ２上に配置される。このとき、つまみ３６が側壁７ａに当接することにより、このつまみ３６がストッパになって第１の反射部材４１を観察光軸Ｌ１上に位置決めし、遮光板４４を観察光軸Ｌ２上に位置決めされる。
【００５０】
これにより、例えば観察者が接眼レンズ３２から眼を離して離れた位置で撮像を行う場合、蛍光灯などからの外部光が接眼レンズ３２を通して観察光学系３０に侵入した外部光は、遮光板４４により遮光される。この結果、撮像装置１０により撮像した観察像におけるフレアやゴーストの発生が防止される。
【００５１】
一方、接眼レンズ３２を通して試料２を観察するとき、つまみ３６を操作して支持部材３４を実体顕微鏡本体７の側壁７ａから抜き、第１の反射部材４１を観察光軸Ｌ１上から退避させ、遮光板４４を観察光軸Ｌ２上から退避させる。
【００５２】
このように上記第４の実施の形態によれば、上記第１の実施の形態と同様の効果を奏することは言うまでもなく、１回のつまみ３６の操作で、第１の反射部材４１と遮光板４４とを一体的に連動させて各観察光軸Ｌ１、Ｌ２に挿脱できる。これにより、観察者の眼により観察と撮像装置１０による撮像との切り換え時に、遮光板４４のみを挿脱する操作を必要とせず、操作が簡便になり、かつ操作忘れもなく、確実に遮光板４４を観察光軸Ｌ２に挿入できる。
【００５３】
次に、本発明の第５の実施の形態について説明する。なお、図１乃至図３、図７と同一部分には同一符号を付してその詳しい説明は省略する。
【００５４】
図８は遮光板４４の挿脱機構の構成図である。支持部材７０には、第１の反射部材４１と遮光板４４とが支持されている。これら第１の反射部材４１と遮光板４４とは、それぞれ各観察光軸Ｌ１、Ｌ２に対応した位置に設けられている。この支持部材７０は、一方の側壁７ａ側に回転軸７１を設け、この回転軸７１を中心に回転して第１の反射部材４１及び遮光板４４を一体的に矢印Ｅ方向に回転移動させる。これにより、第１の反射部材４１は観察光軸Ｌ１上に挿脱され、遮光板４４は観察光軸Ｌ２上に挿脱される。支持部材７０は、図示しないクリック機構等の作用により第１の反射部材４１と遮光板４４とを各観察光軸Ｌ１、Ｌ２上に位置決めして停止できる。
【００５５】
なお、実体顕微鏡本体７の側壁７ａに形成された挿脱用孔３５’は、支持部材７０を回転移動可能とする大きさに形成されている。
【００５６】
このような構成であれば、撮像装置１０により試料２を撮像するとき、支持部材７０を回転軸７１を中心に回転させて第１の反射部材４１を観察光軸Ｌ１上に配置すると共に、遮光板４４を観察光軸Ｌ２上に配置する。これにより、例えば観察者が接眼レンズ３２から眼を離して離れた位置で撮像を行う場合、蛍光灯などからの外部光は、遮光板４４により遮光される。
【００５７】
一方、接眼レンズ３２を通して試料２を観察するとき、支持部材７０を回転軸７１を中心に回転させて第１の反射部材４１を観察光軸Ｌ１から外すと共に、遮光板４４を観察光軸Ｌ２から外す。
【００５８】
このように上記第５の実施の形態によれば、上記第１の実施の形態と同様の効果を奏することは言うまでもなく、１回の支持部材７０の回転操作で、第１の反射部材４１と遮光板４４とを一体的に回転移動させて各観察光軸Ｌ１、Ｌ２に挿脱できる。
【００５９】
次に、本発明の第６の実施の形態について説明する。なお、図１乃至図３、図７と同一部分には同一符号を付してその詳しい説明は省略する。
【００６０】
図９は遮光板４４の挿脱機構の構成図である。第１の反射部材４１と遮光板４４とは、支持部材８０に支持されている。この支持部材８０は、実体顕微鏡本体７の側壁７ａに対して軸支されている。これら第１の反射部材４１と遮光板４４とは、それぞれ各観察光軸Ｌ１、Ｌ２に対応した各位置に設けられている。この支持部材８０における側壁７ａに軸支される部分は、その径が小さく形成され、側壁７ａからの外れを防止している。この支持部材８０は、側壁７ａに軸支されて当該支持部材８０の軸方向を回転軸として矢印Ｆ方向に回転する。
【００６１】
このような構成であれば、撮像装置１０により試料２を撮像するとき、つまみ３６の操作により支持部材８０を矢印Ｆ方向に回転させて第１の反射部材４１を観察光軸Ｌ１上に配置すると共に、遮光板４４を観察光軸Ｌ２上に配置する。これにより、例えば観察者が接眼レンズ３２から眼を離して離れた位置で撮像を行う場合、蛍光灯などからの外部光は、遮光板４４により遮光される。
【００６２】
一方、接眼レンズ３２を通して試料２を観察するとき、つまみ３６の操作により支持部材８０を矢印Ｆ方向に回転させて第１の反射部材４１を観察光軸Ｌ１上から退避すると共に、遮光板４４を観察光軸Ｌ２上から退避する。
【００６３】
このように上記第６の実施の形態によれば、上記第１の実施の形態と同様の効果を奏することは言うまでもなく、１回の支持部材８０の回転操作で、第１の反射部材４１と遮光板４４とを一体的に回転移動させて各観察光軸Ｌ１、Ｌ２に挿脱できる。
【００６４】
次に、本発明の第７の実施の形態について説明する。なお、図１乃至図３、図７と同一部分には同一符号を付してその詳しい説明は省略する。
【００６５】
図１０は遮光板４４の挿脱機構の構成図である。第１の反射部材４１は、第１の支持部材９０の一端側に設けられている。この第１の支持部材９０は、実体顕微鏡本体７の一方の側壁７ａに形成された挿脱用孔３５ａを通して他端側を実体顕微鏡本体７の外部に突出している。又、第１の支持部材９０の他端側には、把持部であるつまみ３６ａが設けられている。この第１の支持部材９０は、実体顕微鏡本体７の側壁７ａと観察光軸Ｌ１との間を矢印Ｇ方向に摺動する。
【００６６】
これにより、つまみ３６ａを操作して第１の支持部材９０を実体顕微鏡本体７の側壁７ａ内に挿入すると、第１の反射部材４１が観察光軸Ｌ１上に配置される。このとき、つまみ３６ａが側壁７ａに当接することにより、このつまみ３６ａがストッパになって第１の反射部材４１が観察光軸Ｌ１上に位置決めされる。
【００６７】
遮光板４４は、第２の支持部材９１の一端側に設けられている。この第２の支持部材９１は、実体顕微鏡本体７の他方の側壁７ａに形成された挿脱用孔３５ｂを通して他端側を実体顕微鏡本体７の外部に突出している。又、第２の支持部材９１の他端側には、つまみ３６ｂが設けられている。この第２の支持部材９１は、実体顕微鏡本体７の側壁７ａと観察光軸Ｌ２との間を矢印Ｈ方向に摺動する。
【００６８】
第１の支持部材９０と第２の支持部材９１とは、各先端を対峙して設けられ、その各摺動方向Ｇ、Ｈは互いに対峙する方向である。
【００６９】
このうち第２の支持部材９１の先端には、連結部材としてのマグネット９２が取り付けられている。このマグネット９２は、第１の支持部材９０を金属等により形成すれば、第１の支持部材９０の先端と磁力により引き付けて連結する。
【００７０】
このような構成であれば、撮像装置１０により試料２を撮像するとき、第１の支持部材９０と第２の支持部材９１とがマグネット９２を介して連結されている状態で、つまみ３６ａ又は３６ｂを操作して第１の支持部材９０及び第２の支持部材９１の一体的を図面上左方向に摺動すると、第１の反射部材４１が観察光軸Ｌ１上に配置され、遮光板４４が観察光軸Ｌ２上に配置される。このとき、一方のつまみ３６ａが側壁７ａに当接することにより、このつまみ３６ａがストッパになって第１の反射部材４１を観察光軸Ｌ１上に位置決めし、遮光板４４を観察光軸Ｌ２上に位置決めする。
【００７１】
これにより、例えば観察者が接眼レンズ３２から眼を離して離れた位置で撮像を行う場合、蛍光灯などからの外部光が接眼レンズ３２を通して観察光学系３０に侵入した外部光は、遮光板４４により遮光される。この結果、撮像装置１０により撮像した観察像におけるフレアやゴーストの発生が防止される。
【００７２】
一方、接眼レンズ３２を通して試料２を観察するとき、つまみ３６ａ又は３６ｂを操作し、第１の支持部材９０及び第２の支持部材９１の一体を図面上右方向に摺動すると、第１の反射部材４１は観察光軸Ｌ１上から退避し、遮光板４４は観察光軸Ｌ２上から退避する。
【００７３】
又、つまみ３６ｂを引抜く方向に操作すると、第１の支持部材９０及び第２の支持部材９１の一体が図面上左方向に摺動し、つまみ３６ａが側壁７ａに当接する。この当接により第１の支持部材９０は、つまみ３６ａのストッパとしての作用により図面上左方向への摺動を止められる。さらに、つまみ３６ｂを引抜くと、マグネット９２による第１の支持部材９０の先端との磁力による結合が切り離され、第１の支持部材９０と第２の支持部材９１とは、それぞれ独立して摺動可能になる。
【００７４】
すなわち、第１の反射部材４１は、つまみ３６ａの操作により第１の支持部材９０を矢印Ｇ方向に摺動させることにより、観察光軸Ｌ１に挿脱される。
【００７５】
遮光板４４は、つまみ３６ｂの操作により第２の支持部材９１を矢印Ｈ方向に摺動させることにより、観察光軸Ｌ２に挿脱される。
【００７６】
このように第１の支持部材９０と第２の支持部材９１とを独立して摺動すれば、第１の反射部材４１を観察光軸Ｌ１に挿入した状態で、遮光板４４を観察光軸Ｌ２から外すことができる。この状態であれば、観察者は、接眼レンズ３２を通して試料２を観察できる。
【００７７】
このように上記第７の実施の形態によれば、上記第１の実施の形態と同様の効果を奏することは言うまでもなく、連結された第１及び第２の支持部材９０、９１の１回の操作で、第１の反射部材４１と遮光板４４とを一体的に摺動させて各観察光軸Ｌ１、Ｌ２に挿脱できる。
【００７８】
又、第１と第２の支持部材９０、９１の連結を解除可能なので、接眼レンズ３２を通して試料２を眼で観察しながら、撮像装置１０により試料２を撮像でき、利便性に優れる。
【００７９】
第１と第２の支持部材９０、９１の連結は、マグネット９２を用いているが、他の連結部材、例えばねじ止めなどの機械的な連結機構を用いてもよし、第１と第２の支持部材９０、９１の両先端にそれぞれ各マグネットを設けてもよい。
【００８０】
又、支持部材９０、９１は、一体に設けられてもよい。
【００８１】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【００８２】
例えば、上記各実施の形態において、遮光板４４は、観察光軸Ｌ２上における対物レンズ３１と接眼レンズ３２との間に挿脱可能に設けているが、これに限らず、対物レンズ３１と試料２との間の観察光軸Ｌ２上に挿脱可能に設けてもよい。
【００８３】
【発明の効果】
以上詳記したように本発明によれば、観察像を撮像するときにフレアやゴーストを発生せずに容易に良好な撮像ができる安価な実体顕微鏡を提供できる。
【図面の簡単な説明】
【図１】本発明に係わる実体顕微鏡の第１の実施の形態を示す外観図。
【図２】同実体顕微鏡の外観図。
【図３】同実体顕微鏡の光学系の構成図。
【図４】同実体顕微鏡における遮光板の挿脱機構の構成図。
【図５】本発明に係わる実体顕微鏡の第２の実施の形態における遮光板の挿脱機構の構成図。
【図６】本発明に係わる実体顕微鏡の第３の実施の形態における遮光板の挿脱機構の構成図。
【図７】本発明に係わる実体顕微鏡の第４の実施の形態における遮光板の挿脱機構の構成図。
【図８】本発明に係わる実体顕微鏡の第５の実施の形態における遮光板の挿脱機構の構成図。
【図９】本発明に係わる実体顕微鏡の第６の実施の形態における遮光板の挿脱機構の構成図。
【図１０】本発明に係わる実体顕微鏡の第７の実施の形態における遮光板の挿脱機構の構成図。
【符号の説明】
１：ベース、２：試料、３：ガラスプレート、４：支柱、５：アーム部、６：焦準ハンドル、７：実体顕微鏡本体、８：対物レンズ用筐体部、９ａ，９ｂ：接眼部、１０：撮像装置、２０：第１の観察光学系、３０：第２の観察光学系、２１：対物レンズ、２２：接眼レンズ、３１：対物レンズ、３２：接眼レンズ、４０：光路切換光学系、４１：第１の反射部材、４２：第２の反射部材、４３：撮影レンズ、４４：遮光板、３４：支持部材、３５：挿脱用孔、３６：つまみ、５０：支持部材、５１：回転軸、６０：支持部材、７０：支持部材、７１：回転軸、８０：支持部材、９０：第１の支持部材、９１：第２の支持部材、９２：マグネット。
【図１】
2005003993.tif 000003
【図２】
2005003993.tif 000004
【図３】
2005003993.tif 000005
【図４】
2005003993.tif 000006
【図５】
2005003993.tif 000007
【図６】
2005003993.tif 000008
【図７】
2005003993.tif 000009
【図８】
2005003993.tif 000010
【図９】
2005003993.tif 000011
【図１０】
2005003993.tif 000012